(57)【要約】【課題】本発明は、電動工具の再起動防止をリレーで行なえるようにして、発熱量の低減を図るとともに、待機電力の抑制を図ることを目的とする。【解決手段】本発明に係る電動工具は、オンスイッチが押されている状態で接点４５，４６を閉じてコイル４７に通電できるように構成されており、コイル４７が通電されると電磁力で接点４５，４６が閉じた状態に保持されるリレー４０と、電源からモータ２５とコイル４７とに電力を供給できるように構成されており、電源とモータ２５間に接点４５，４６が直列に接続されている電気回路と、工具停止位置と工具運転位置間で往復移動できるように構成されており、工具運転位置を除くいずれかの位置でリレー４０のオンスイッチを押圧できるように構成されている操作部材５０とを有する。【選択図】図５
2017071010.tif 000002
【特許請求の範囲】
【請求項１】
オンスイッチが押されている状態で接点を閉じてコイルに通電できるように構成されており、前記コイルが通電されると前記コイルの電磁力で前記接点が閉じた状態に保持されるリレーと、
電源からモータと前記リレーのコイルとに対して電力を供給できるように構成されており、前記電源と前記モータ間に前記リレーの接点が直列に接続されている電気回路と、
前記モータが停止する工具停止位置と、前記モータが駆動する工具運転位置間で往復移動できるように構成されており、前記工具運転位置では前記リレーのオンスイッチから離れ、前記工具運転位置を除くいずれかの位置で前記リレーのオンスイッチを押圧できるように構成されている操作部材と、
を有する電動工具。
【請求項２】
請求項１に記載された電動工具であって、
前記リレーの接点に対して直列に接続されているモータ起動スイッチを備えており、
前記電気回路は、前記リレーの接点が閉じられて、前記モータ起動スイッチがオン動作したときに前記モータに電力を供給する構成であり、
前記操作部材は、前記工具運転位置で前記モータ起動スイッチをオン動作させ、前記工具運転位置から離れる際に前記モータ起動スイッチをオフ動作させ、前記工具停止位置で前記リレーのオンスイッチを押圧する電動工具。
【請求項３】
請求項２に記載された電動工具であって、
前記操作部材には、モータ起動スイッチの動作レバーが挿入される開口部と、前記リレーのオンスイッチを押圧する押圧部とが設けられており、
前記操作部材が工具停止位置にある状態で、モータ起動スイッチの動作レバーが開口部内でオフ動作側に保持され、前記押圧部が前記リレーのオンスイッチを押圧しており、
前記操作部材が工具運転位置まで移動する際に、前記モータ起動スイッチの動作レバーが開口部端縁に押されてオン動作側に移動し、前記押圧部が前記リレーのオンスイッチから離れる電動工具。
【請求項４】
請求項１に記載された電動工具であって、
前記リレーは、押圧されている状態で前記コイルの通電を解除して前記接点を開くオフスイッチを備えており、
前記電気回路は、前記リレーの接点が閉じられたときに前記モータに電力を供給する構成であり、
前記操作部材が工具停止位置にあるときに、前記操作部材は前記リレーのオフスイッチを押圧し、
前記操作部材が前記工具停止位置から前記工具運転位置の方向に移動すると、前記操作部材が前記リレーのオフスイッチから離れて前記リレーのオンスイッチを押圧し、前記工具運転位置で前記操作部材が前記リレーのオンスイッチから離れる電動工具。
【発明の詳細な説明】
【技術分野】
【０００１】
本発明は、運転スイッチがオン状態で、例えば、停電等により給電が停止した電動工具が電源回復時に再起動しないようにする再起動防止機能付きの電動工具に関する。
【背景技術】
【０００２】
再起動防止機能付きの電動工具に関する技術が特許文献１に記載されている。特許文献１の電動工具は、図２１の電気回路図に示すように、運転スイッチ１０１の一次側にスイッチ前電圧検出回路１０３が設けられており、運転スイッチ１０１の二次側にスイッチ後電圧検出回路１０４が設けられている。スイッチ前電圧検出回路１０３はスイッチ後電圧検出回路１０４よりも時定数が大きく設定されている。このため、両電圧検出回路１０３，１０４に電圧が同時に印加されると、過渡時においてはスイッチ後電圧検出回路１０４の出力電圧がスイッチ前電圧検出回路１０３の出力電圧よりも大きくなる。したがって、例えば、運転スイッチ１０１がオン動作状態で、停電等により給電が停止し、その後、電源が回復すると、過渡時においてスイッチ後電圧検出回路１０４の出力電圧がスイッチ前電圧検出回路１０３の出力電圧よりも大きくなる。
【０００３】
スイッチ前電圧検出回路１０３の出力電圧とスイッチ後電圧検出回路１０４の出力電圧とは比較器１０５に入力される。比較器１０５は、スイッチ後電圧検出回路１０４の出力電圧がスイッチ前電圧検出回路１０３の出力電圧よりも大きくなったときに、モータ１０８の停止信号を出力する。即ち、比較器１０５のモータ１０８の停止信号はモータ駆動回路１０６を介して双方向サイリスタ１０７に入力され、これによりモータ１０８が停止する。このため、例えば、運転スイッチ１０１がオン動作状態で、停電等により給電が停止し、その後、電源が回復しても、モータ１０８の再起動が禁止される。
【先行技術文献】
【特許文献】
【０００４】
【特許文献１】特開平８−３０８０９８号公報
【発明の概要】
【発明が解決しようとする課題】
【０００５】
上記した電動工具では、運転スイッチ１０１の一次側にスイッチ前電圧検出回路１０３が設けられており、運転スイッチ１０１の二次側にスイッチ後電圧検出回路１０４が設けられている。このため、運転スイッチ１０１がオフ動作状態でも、スイッチ前電圧検出回路１０３には電流が流れ、待機電力が消費される。また、モータ１０８を起動、停止するための双方向サイリスタ等が必要になるため、双方向サイリスタ等の発熱を発散させる手段が必要になる。
【０００６】
本発明は、上記問題点を解決するためになされたものであり、本発明が解決しようとする課題は、電動工具の再起動防止を双方向サイリスタ等の発熱素子を使用せずに、リレーで行なえるようにして、発熱量の低減を図るとともに、待機電力の抑制を図ることである。
【課題を解決するための手段】
【０００７】
上記した課題は、各請求項の発明によって解決される。請求項１の発明は、オンスイッチが押されている状態で接点を閉じてコイルに通電できるように構成されており、前記コイルが通電されると前記コイルの電磁力で前記接点が閉じた状態に保持されるリレーと、電源からモータと前記リレーのコイルとに対して電力を供給できるように構成されており、前記電源と前記モータ間に前記リレーの接点が直列に接続されている電気回路と、前記モータが停止する工具停止位置と、前記モータが駆動する工具運転位置間で往復移動できるように構成されており、前記工具運転位置では前記リレーのオンスイッチから離れ、前記工具運転位置を除くいずれかの位置で前記リレーのオンスイッチを押圧できるように構成されている操作部材とを有する。
【０００８】
本発明によると、操作部材が工具運転位置まで移動する前に、操作部材がリレーのオンスイッチを押圧することで、前記リレーの接点が閉じられる。これにより、リレーのコイルが通電され、前記コイルの電磁力によりリレーの接点が閉じられた状態に保持される。そして、操作部材が工具運転位置に到達すると、操作部材はリレーのオンスイッチから離れた状態に保持される。即ち、操作部材が工具運転位置にあるときは、リレーの接点はコイルの電磁力により閉じられた状態に保持されてモータが駆動されている。この状態で、例えば、コンセントからプラグが抜かれて電力の供給が断たれると、リレーのコイルの通電が解除されて接点が開き、モータが停止する。この状態で、再び、電源プラグがコンセントに接続されても、操作部材が工具運転位置に保持されてリレーのオンスイッチから離れているため、リレーの接点は開かれた状態に保持される。即ち、操作部材が工具運転位置にある状態で、電源プラグがコンセントに接続されても、モータの再起動は禁止される。このように、電動工具の再起動防止を双方向サイリスタ等の発熱素子を使用せずに、リレーで行なえる。また、操作部材がリレーのオンスイッチを押圧しない状態では、リレーのコイルに通電が行なわれないため、待機電力が消費されない。
【０００９】
請求項２の発明によると、リレーの接点に対して直列に接続されているモータ起動スイッチを備えており、電気回路は、前記リレーの接点が閉じられて、前記モータ起動スイッチがオン動作したときに前記モータに電力を供給する構成であり、操作部材は、工具運転位置で前記モータ起動スイッチをオン動作させ、前記工具運転位置から離れる際に前記モータ起動スイッチをオフ動作させ、工具停止位置で前記リレーのオンスイッチを押圧する。このため、操作部材が工具運転位置にある状態でリレーの接点とモータ起動スイッチとが共にオン動作し、モータが起動される。また、工具停止位置では、モータ起動スイッチがオフ動作しているため、リレーの接点が閉じられていても、モータは停止状態に保持される。
【００１０】
請求項３の発明によると、操作部材には、モータ起動スイッチの動作レバーが挿入される開口部と、前記リレーのオンスイッチを押圧する押圧部とが設けられており、前記操作部材が工具停止位置にある状態で、モータ起動スイッチの動作レバーが開口部内でオフ動作側に保持され、前記押圧部が前記リレーのオンスイッチを押圧しており、前記操作部材が工具運転位置まで移動する際に、前記モータ起動スイッチの動作レバーが開口部端縁に押されてオン動作側に移動し、前記押圧部が前記リレーのオンスイッチから離れる。
【００１１】
請求項４の発明によると、リレーは、押圧されている状態でコイルの通電を解除して接点を開くオフスイッチを備えており、電気回路は、前記リレーの接点が閉じられたときにモータに電力を供給する構成であり、操作部材が工具停止位置にあるときに、前記操作部材は前記リレーのオフスイッチを押圧し、前記操作部材が前記工具停止位置から前記工具運転位置の方向に移動すると、前記操作部材が前記リレーのオフスイッチから離れて前記リレーのオンスイッチを押圧し、前記工具運転位置で前記操作部材が前記リレーのオンスイッチから離れる。即ち、操作部材が工具運転位置にある状態では、操作部材はリレーのオンスイッチから離れ、リレーの接点はコイルの電磁力で閉じた状態に保持される。このため、モータが起動される。また、工具停止位置では、操作部材はリレーのオフスイッチを押圧するため、コイルの通電が解除され接点が開かれる。このため、モータは停止状態に保持される。
【発明の効果】
【００１２】
本発明によると、双方向サイリスタ等の発熱素子を使用せずに電動工具の再起動防止をリレーで行なえるようになり、発熱量の低減が図れる。また、待機電力も抑制できる。
【図面の簡単な説明】
【００１３】
【図１】本発明の実施形態１に係る電動工具（ディスクグラインダ）の全体斜視図である。
【図２】電動工具を下方から見た平断面図（図１のII-II矢視断面図）である。
【図３】電動工具の電気回路を表す模式図である。
【図４】電動工具の操作リンクとリレー、及びモータ起動スイッチとの関係を表す平面断面図である。
【図５】電動工具の動作に対応する電気回路を表す模式図である。
【図６】電動工具の操作リンクとリレー、及びモータ起動スイッチとの関係を表す平面断面図である。
【図７】電動工具の動作に対応する電気回路を表す模式図である。
【図８】電動工具の動作に対応する電気回路を表す模式図である。
【図９】本発明の実施形態２に係る電動工具の平断面図である。
【図１０】電動工具の操作リンクとリレーとの関係を表す斜視図である。
【図１１】電動工具の電気回路を表す模式図である。
【図１２】電動工具の動作時の操作リンクとリレーとの関係を表す斜視図である。
【図１３】電動工具の動作に対応する電気回路を表す模式図である。
【図１４】電動工具の動作時の操作リンクとリレーとの関係を表す斜視図である。
【図１５】電動工具の動作に対応する電気回路を表す模式図である。
【図１６】電動工具の動作時の操作リンクとリレーとの関係を表す斜視図である。
【図１７】電動工具の動作に対応する電気回路を表す模式図である。
【図１８】電動工具の動作に対応する電気回路を表す模式図である。
【図１９】電動工具の動作時の操作リンクとリレーとの関係を表す斜視図である。
【図２０】電動工具の動作に対応する電気回路を表す模式図である。
【図２１】従来の電動工具の電気回路を表す模式図である。
【発明を実施するための形態】
【００１４】
［実施形態１］
以下、図１から図８に基づいて、本発明の実施形態１に係る電動工具１０の説明を行なう。本実施形態に係る電動工具１０は、ディスクグラインダ１０であり、円板形の砥石であるディスク（図示省略）を回転させながら木材、金属の表面を削る工具である。ここで、図中に示す前後左右、及び上下は、ディスクグラインダ１０の前後左右、及び上下に対応している。
【００１５】
＜ディスクグラインダ１０の概要について＞
ディスクグラインダ１０は、図１に示すように、ハウジング前部１２と、そのハウジング前部１２の後側に連結されたグリップ部１４とを備えている。ハウジング前部１２には、モータ２５（図２等参照）の回転力を受けてディスクを回転させるギヤ機構等（図示省略）が収納されている。前記ギヤ機構の出力軸１２ｊ（図２参照）は、図１に示すように、ハウジング前部１２の下側に設けられた軸受部１３によって支持されている。そして、軸受部１３から突出した出力軸１２ｊの下端部にディスクが取付けられる円板部１２ｅが同軸に固定されている。また、軸受部１３には、前記ディスクの略後半分を上側と周囲から覆うカバー部材１３ｃが取付けられている。さらに、ハウジング前部１２の上側には、外気導入口１２ｈが前向きに形成されている。
【００１６】
グリップ部１４は、使用者が把持する部分であり、図１に示すように、ハウジング前部１２に接続される大径のグリップ前部１４ｆと、そのグリップ前部１４ｆよりも小径のグリップ本体部１４ｍと、グリップ本体部１４ｍより若干大径のグリップ後部１４ｂとから構成されている。そして、グリップ後部１４ｂの左右側面にスリット状の排気口１４ｈが形成されている。グリップ部１４のグリップ本体部１４ｍの位置には、図２に示すように、モータ２５が同軸に収納されている。また、グリップ部１４のグリップ前部１４ｆには、ファン２５ｆが収納されており、そのファン２５ｆがモータ２５の回転軸２５ｊに同軸に取付けられている。これにより、モータ２５が駆動されるとファン２５ｆが回転し、外気がハウジング前部１２の外気導入口１２ｈから吸引されて、モータ２５等を冷却した後、グリップ部１４の排気口１４ｈから排出される。
【００１７】
また、グリップ部１４（グリップ後部１４ｂ）の内側後部には、図２に示すように、モータ２５を駆動させる電気回路６０（図３参照）を構成するモータ起動スイッチ３２とリレー４０とが収納されている。また、グリップ部１４の内側左端部には、グリップ本体部１４ｍからグリップ後部１４ｂにかけてモータ起動スイッチ３２とリレー４０のオンスイッチ４３とを操作するための操作リンク５０が収納されている。
【００１８】
＜操作リンク５０について＞
操作リンク５０は、図２に示すように、使用者が右親指で操作できる位置に設けられた操作用スライド釦５１と、操作用スライド釦５１の動作をモータ起動スイッチ３２とリレー４０とに伝達するリンク本体部５３とを備えている。操作用スライド釦５１は、図１に示すように、グリップ部１４の左側面に形成されたガイド壁部１４０に囲まれた状態で前後スライド可能な状態でグリップ部１４に連結されている。ガイド壁部１４０は、上壁部１４１と下壁部１４２と前縦壁部１４３とにより略横向きＣ字形に形成されている。そして、ガイド壁部１４０の上壁部１４１と下壁部１４２とがグリップ部１４のグリップ前部１４ｆからグリップ本体部１４ｍにかけて形成されて、操作用スライド釦５１を前後スライド可能なようにガイドしている。また、ガイド壁部１４０の前縦壁部１４３は、操作用スライド釦５１を工具運転位置（前スライド限位置）で止めるためのストッパであり、グリップ部１４のグリップ前部１４ｆの位置に形成されている。ここで、操作用スライド釦５１の後スライド限位置が工具停止位置となる。
【００１９】
グリップ部１４のガイド壁部１４０に囲まれた位置には、前後方向に延びる開口部１４５が形成されており、図２に示すように、その開口部１４５に操作用スライド釦５１とリンク本体部５３の前端部とを連結する連結ピン５２が通されている。リンク本体部５３は、操作用スライド釦５１の前後スライド動作を受けてグリップ部１４の内側で前後スライドできるように構成されている。そして、リンク本体部５３の後部にモータ起動スイッチ３２をオンオフ動作させるスイッチ操作部５４と、リレー４０のオンスイッチ４３を押圧する押圧部５５とが設けられている。
【００２０】
リンク本体部５３のスイッチ操作部５４は、図２に示すように、モータ起動スイッチ３２の動作レバー３２ｒが挿入される開口部５４ｈを備えている。そして、リンク本体部５３が後スライド限位置、即ち、工具停止位置にあるときにスイッチ操作部５４の開口部５４ｈの端縁が動作レバー３２ｒをモータ起動スイッチ３２のオフ動作側に倒せるように構成されている。また。このとき、リンク本体部５３の押圧部５５は、リレー４０のオンスイッチ４３を押圧できるように構成されている。さらに、リンク本体部５３が前スライド限位置、即ち、工具運転位置までスライドすると、図４に示すように、スイッチ操作部５４の開口部５４ｈの端縁は動作レバー３２ｒをモータ起動スイッチ３２のオン動作側に倒す。また、このとき、リンク本体部５３の押圧部５５は、リレー４０のオンスイッチ４３から離れるようになる。このように、操作リンク５０が本発明の操作部材に相当する。
【００２１】
＜モータ２５を駆動させる電気回路６０とリレー４０について＞
モータ２５を駆動させる電気回路６０は、グリップ部１４内に設けられている。前記電気回路６０は、図３に示すように、プラグ付の電源ケーブルＬを備えており、その電源ケーブルＬがグリップ部１４の後端に形成された電線引出し口１４ｐ（図２参照）から外部に引き出されている。そして、図３に示すように、電源ケーブルＬのプラグＰがコンセントＣに接続されることで、電気回路６０には交流電力が供給される。
【００２２】
電源ケーブルＬの一方の電源線Ｌ０１は、図３に示すように、電気回路６０を構成するリレー４０の第１接点４５の一方の端子に接続されており、その第１接点４５の他方の端子がリレー４０のコイル４７の一方の端子とモータ起動スイッチ３２の一方の端子とに接続されている。そして、モータ起動スイッチ３２の他方の端子がモータ２５の一方の端子２５ｐに接続されている。また、電源ケーブルＬの他方の電源線Ｌ０２は、リレー４０の第２接点４６の一方の端子に接続されており、その第２接点４６の他方の端子がリレー４０のコイル４７の他方の端子とモータ２５の他方の端子２５ｑに接続されている。即ち、リレー４０の第１接点４５と第２接点４６とは、電源とモータ２５間で直列に接続されている。また、モータ起動スイッチ３２は、リレー４０の第１接点４５とモータ２５間で直列に接続されている。さらに、リレー４０のコイル４７は、モータ起動スイッチ３２とモータ２５とに対して並列に接続されている。
【００２３】
リレー４０の第１接点４５と第２接点４６とは連動する構成であり、接点を開く方向にバネ力を受けている。そして、リレー４０のオンスイッチ４３が操作リンク５０（リンク本体部５３）の押圧部５５に押圧されることで第１接点４５と第２接点４６はバネ力に抗して閉じられる。また、リレー４０のコイル４７に対して通電が行なわれると、コイル４７の電磁力で第１接点４５と第２接点４６とは閉じた状態に保持される。また、コイル４７の通電が解除された状態で、操作リンク５０（リンク本体部５３）の押圧部５５がリレー４０のオンスイッチ４３から離れると、第１接点４５と第２接点４６はバネ力によって開かれる。
【００２４】
＜ディスクグラインダ１０の動作について＞
次に、図２から図８に基づいて、ディスクグラインダ１０の動作について説明する。ディスクグラインダ１０の操作リンク５０の操作用スライド釦５１が工具停止位置（後スライド限位置）にある状態では、図２に示すように、操作リンク５０（リンク本体部５３）の押圧部５５がリレー４０のオンスイッチ４３を押圧している。このため、図３に示すように、リレー４０の第１接点４５と第２接点４６とは、バネ力に抗して閉じられている。この状態で、ディスクグラインダ１０の電源ケーブルＬのプラグＰがコンセントＣに接続されると、リレー４０のコイル４７に対して通電が行なわれ、コイル４７の電磁力で第１接点４５と第２接点４６とは閉じた状態に保持される。また、操作リンク５０の操作用スライド釦５１が工具停止位置（後スライド限位置）にある状態では、図２、図３に示すように、リンク本体部５３のスイッチ操作部５４がモータ起動スイッチ３２をオフ動作させている。このため、モータ２５は停止状態に保持される。
【００２５】
次に、操作リンク５０の操作用スライド釦５１が前方に押圧されると、操作用スライド釦５１と共にリンク本体部５３が前方にスライドし、図４、図５等に示すように、リンク本体部５３の押圧部５５がリレー４０のオンスイッチ４３から離れる。しかし、リレー４０のコイル４７が通電されているため、第１接点４５と第２接点４６とはコイル４７の電磁力で閉じた状態に保持されている。そして、操作リンク５０の操作用スライド釦５１が工具運転位置（前スライド限位置）まで到達すると、図４、図５に示すように、リンク本体部５３のスイッチ操作部５４がモータ起動スイッチ３２をオン動作させる。これにより、電気回路６０がモータに対して電力を供給できるようになり、モータ２５が駆動される。
【００２６】
この状態で、例えば、図７に示すように、電源ケーブルＬのプラグＰがコンセントＣから抜かれると、リレー４０のコイル４７の通電が解除される。操作リンク５０の操作用スライド釦５１が工具運転位置にある状態では、リンク本体部５３の押圧部５５がリレー４０のオンスイッチ４３から離れている。このため、リレー４０のコイル４７の通電が解除されると、図６、図７に示すように、第１接点４５と第２接点４６とはバネ力で開かれる。このため、モータ２５が停止する。この状態で、再び、電源ケーブルＬのプラグＰをコンセントＣに接続しても、図８に示すように、リレー４０の第１接点４５と第２接点４６とが開かれているため、コイル４７に対して通電が行なわれない。このため、モータ２５は停止状態に保持される。即ち、電源が遮断後に復旧してもモータ２５の再起動が禁止され、使用者の安全が確保される。
【００２７】
＜本実施形態に係るディスクグラインダ１０の長所について＞
本実施形態に係るディスクグラインダ１０によると、操作リンク５０（操作部材）が工具運転位置まで移動する前に、操作リンク５０の押圧部５５がリレー４０のオンスイッチ４３を押圧することで、リレー４０の接点４５，４６が閉じられる。これにより、リレー４０のコイル４７が通電され、コイル４７の電磁力によりリレー４０の接点４５，４６が閉じられた状態に保持される。そして、操作リンク５０が工具運転位置に到達すると、操作リンク５０の押圧部５５はリレー４０のオンスイッチ４３から離れた状態に保持される。即ち、操作リンク５０が工具運転位置にあるときは、リレー４０の接点４５，４６はコイル４７の電磁力により閉じられた状態に保持されてモータ２５が駆動されている。この状態で、例えば、コンセントＣからプラグＰが抜かれて電力の供給が断たれると、リレー４０のコイル４７の通電が解除されて接点４５，４６が開き、モータ２５が停止する。この状態で、再び、プラグＰがコンセントＣに接続されても、操作リンク５０が工具運転位置に保持されてリレー４０のオンスイッチ４３から離れているため、リレー４０の接点４５，４６は開かれた状態に保持される。即ち、操作リンク５０が工具運転位置にある状態で、プラグＰがコンセントＣに接続されても、モータ２５の再起動は禁止される。このように、電動工具の再起動防止を双方向サイリスタ等の発熱素子を使用せずに、リレー４０で行なえるようになる。
【００２８】
［実施形態２］
以下、図９から図２０に基づいて、本発明の実施形態２に係る電動工具（ディスクグラインダ１０）の説明を行なう。本実施形態に係るディスクグラインダ１０は、図９に示すように、実施形態１に記載されたディスクグラインダ１０のモータ起動スイッチ３２を省略し、リレー４０をオフスイッチ付のリレー７０に変更したものである。また、この変更に伴って操作リンク５０のリンク本体部５３を一部改造している。なお、その他の構造は、実施形態１に係るディスクグラインダ１０と同様であるため、同一符号を付して説明を省略する。
【００２９】
＜リレー７０について＞
本実施形態に係るディスクグラインダ１０のリレー７０は、図１０、図１１等に示すように、オンスイッチ７２とオフスイッチ７４とを備えている。オンスイッチ７２は、図１０に示すように、リレーハウジング７０ｈの左端面における前側下部でリレーハウジング７０ｈから突出するように形成されている。オンスイッチ７２の突出部分の後側には、操作リンク５０のオン側押圧突起５４ｔ（後記する）が当接する傾斜面７２ｓが形成されている。オンスイッチ７２は、図１２、図１３に示すように、操作リンク５０のオン側押圧突起５４ｔの押圧力を受けることで、第１接点７５と第２接点７６とをバネ力に抗して閉方向（オン方向）に押圧する。また、オンスイッチ７２は、図１０、図１１に示すように、操作リンク５０のオン側押圧突起５４ｔの押圧力を受けていない状態では、第１接点７５と第２接点７６とのバネ力を受けて突出状態（オフ状態）に保持されている。
【００３０】
オフスイッチ７４は、図１２等に示すように、リレーハウジング７０ｈの左端面における後側上部でリレーハウジング７０ｈから突出するように形成されている。オフスイッチ７４の突出部分の前側には、操作リンク５０のオフ側押圧突起５４ｍ（後記する）が当接する傾斜面７４ｓが形成されている。オフスイッチ７４は、図１０、図１１に示すように、操作リンク５０のオフ側押圧突起５４ｍの押圧力を受けることで接点を開き、リレー７０のコイル７７の通電を解除する。オフスイッチ７４は、バネ力により常に接点を閉じる方向に付勢されており、操作リンク５０のオフ側押圧突起５４ｍの押圧力を受けていない状態では、図１２等に示すように、接点を閉じて突出状態（オン状態）に保持されている。
【００３１】
＜操作リンク５０について＞
操作リンク５０のリンク本体部５３の後端位置には、図１０に示すように、コイルバネ５５ｂを介してリレー操作部５４０が連結されている。このため、リレー操作部５４０は、リンク本体部５３に対してコイルバネ５５ｂの変形分だけ前後方向に変位可能となる。また、前記リレー操作部５４０は、操作リンク５０のリンク本体部５３が前後スライドすることで、リレーハウジング７０ｈの左端面に沿って前後スライドできるようになる。
【００３２】
リレー操作部５４０は、リレーハウジング７０ｈの左端面と対向する裏側平坦面５４ｅを備えている。そして、リレー操作部５４０の裏側平坦面５４ｅには、前後方向における中央部上寄り位置にオフ側押圧突起５４ｍが裏側平坦面５４ｅに対して直角に突出した状態で設けられている。また、リレー操作部５４０の裏側平坦面５４ｅには、オフ側押圧突起５４ｍの前方下寄り位置にオン側押圧突起５４ｔが同じく突出した状態で設けられている。オン側押圧突起５４ｔは、前方からの押圧力に対しては起立状態を保持し、後方から押圧力に対しては前方に倒伏するように、リレー操作部５４０の裏側平坦面５４ｅに連結されている。
【００３３】
リレー操作部５４０のオフ側押圧突起５４ｍは、操作リンク５０（リンク本体部５３）が工具停止位置まで後スライドするときに、図１０に示すように、リレー７０のオフスイッチ７４の傾斜面７４ｓを前方から押圧できる位置に位置決めされている。そして、リレー操作部５４０のオフ側押圧突起５４ｍがリレー７０のオフスイッチ７４の傾斜面７４ｓを前方から押圧することで、オフスイッチ７４は傾斜面７４ｓの働きでリレーハウジング７０ｈの内側に押し込まれる。これにより、オフスイッチ７４の接点がバネ力に抗して開かれる。また、リレー操作部５４０のオフ側押圧突起５４ｍは、操作リンク５０のリンク本体部５３が前後スライドする際に、リレー７０のオンスイッチ７２と干渉しない位置に配置されている。
【００３４】
リレー操作部５４０のオン側押圧突起５４ｔは、図１０に示すように、操作リンク５０が工具停止位置にあるときにリレー７０のオンスイッチ７２の後側に配置されている。そして、操作リンク５０が工具停止位置から前方にスライドすることで、リレー操作部５４０のオン側押圧突起５４ｔはリレー７０のオンスイッチ７２の傾斜面７２ｓに後方から当接する。このとき、リレー操作部５４０のオン側押圧突起５４ｔは前方から押圧力を受けるため、オン側押圧突起５４ｔは起立状態に保持される。これにより、図１２に示すように、オン側押圧突起５４ｔがリレー７０のオンスイッチ７２の傾斜面７２ｓを押圧し、オンスイッチ７２は傾斜面７２ｓの働きでリレーハウジング７０ｈの内側に押し込まれる。即ち、リレー７０の第１接点７５と第２接点７６とがバネ力に抗して閉じられる。
【００３５】
この状態から操作リンク５０がさらに前方にスライドすると、リレー操作部５４０のオン側押圧突起５４ｔはリレー７０のオンスイッチ７２を乗り越える。そして、操作リンク５０が工具運転位置まで到達した状態で、図１４、図１６に示すように、リレー操作部５４０のオン側押圧突起５４ｔはリレー７０のオンスイッチ７２から離れ、そのオンスイッチ７２の前側に配置される。操作リンク５０が工具運転位置から後スライドする際には、図１９に示すように、リレー操作部５４０のオン側押圧突起５４ｔはリレー７０のオンスイッチ７２に前方から当接して前方に倒伏する。このため、リレー７０のオンスイッチ７２が操作リンク５０の後スライドを妨げることがない。
【００３６】
＜ディスクグラインダ１０の動作について＞
次に、ディスクグラインダ１０の動作について説明する。ディスクグラインダ１０の操作リンク５０の操作用スライド釦５１が工具停止位置（後スライド限位置）にある状態では、図１０に示すように、操作リンク５０（リレー操作部５４０）のオフ側押圧突起５４ｍがリレー７０のオフスイッチ７４を押圧している。このため、図１１に示すように、リレー７０のオフスイッチ７４の接点がバネ力に抗して開かれている。また、リレー操作部５４０のオン側押圧突起５４ｔが、図１０に示すように、リレー７０のオンスイッチ７２から離れているため、リレー７０の第１接点７５と第２接点７６とは開かれた状態に保持されている。このため、ディスクグラインダ１０の電源ケーブルＬのプラグＰがコンセントＣに接続されても、モータ２５は停止状態に保持される。
【００３７】
次に、操作リンク５０の操作用スライド釦５１が前方に押圧されると、操作用スライド釦５１と共にリンク本体部５３が前方にスライドし、図１２、図１３等に示すように、リレー操作部５４０のオフ側押圧突起５４ｍがリレー７０のオフスイッチ７４から離れる。これにより、リレー７０のオフスイッチ７４がバネ力で接点を閉じる位置まで戻される。そして、リンク本体部５３がさらに前方にスライドすると、図１３に示すように、リレー操作部５４０のオン側押圧突起５４ｔがリレー７０のオンスイッチ７２を押圧する。これにより、リレー７０の第１接点７５と第２接点７６とがバネ力に抗して閉じられ、リレー７０のコイル７７が通電されるとともに、モータ２５に電力が供給されて、モータ２５が駆動される。そして、操作リンク５０のリンク本体部５３が工具運転位置（前スライド限位置）に到達すると、図１４、図１５に示すように、リレー操作部５４０のオン側押圧突起５４ｔがリレー７０のオンスイッチ７２から離れるようになる。このとき、リレー７０の第１接点７５と第２接点７６とはコイル７７の電磁力を受けて閉じられているため、モータ２５は駆動状態に保持される。
【００３８】
この状態で、例えば、電源ケーブルＬのプラグＰがコンセントＣから抜かれると、図１７に示すように、リレー７０のコイル７７の通電が解除されるとともに、モータ２５が停止する。操作リンク５０の操作用スライド釦５１が工具運転位置にある状態では、リレー操作部５４０のオン側押圧突起５４ｔがリレー７０のオンスイッチ７２から離れているため、リレー４０のコイル４７の通電が解除されると第１接点７５と第２接点７６とはバネ力で開かれる。このため、再び、電源ケーブルＬのプラグＰをコンセントＣに接続しても、図１８に示すように、リレー７０の第１接点７５と第２接点７６とが開かれているため、モータ２５は停止状態に保持される。このように、電源が遮断後に復旧してもモータ２５の再起動が禁止される。
【００３９】
操作リンク５０のリンク本体部５３が工具運転位置から後スライドすると、図１９、図２０に示すように、リレー操作部５４０のオン側押圧突起５４ｔがリレー７０のオンスイッチ７２に当接したときに前方に倒伏する。このため、操作リンク５０のリンク本体部５３の後スライドが妨げられない。そして、操作リンク５０が工具停止位置まで戻されると、図１０、図１１に示すように、リレー操作部５４０のオフ側押圧突起５４ｍがリレー７０のオフスイッチ７４を押圧する。これにより、操作リンク５０が工具停止位置に戻る前にモータ２５が起動している場合でも、コイル４７の通電が解除され、第１接点７５と第２接点７６とが開かれてモータ２５が停止する。
【００４０】
このように、操作リンク５０が工具停止位置にある状態では、コンセントＣに電源ケーブルＬのプラグＰが接続されても、リレー７０のコイル７７が通電されないため、待機電力が消費されない。また、操作リンク５０のリンク本体部５３にはコイルバネ５５ｂを介してリレー操作部５４０が連結されているため、コイルバネ５５ｂのバネ力でリレー操作部５４０は確実に工具停止位置まで戻れるようになる。
【００４１】
＜変更例＞
ここで、本発明は上記実施形態に限定されるものではなく、本発明の要旨を逸脱しない範囲における変更が可能である。例えば、本実施形態では、交流電力により駆動されるディスクグラインダ１０について例示したが、バッテリ駆動式のディスクグラインダ等に本発明を適用することも可能である。また、本実施形態では、電気回路６０の一方の電源線Ｌ０１にリレー４０（７０）の第１接点４５（７５）を設け、他方の電源線Ｌ０２にリレー４０（７０）の第２接点４６（７６）を設ける例を示した。しかし、一方の電源線Ｌ０１、あるいは他方の電源線Ｌ０２のいずれか一方にリレー４０（７０）の接点４５（７５）を設ける構成でも可能である。また、本実施形態では、ディスクグラインダ１０に本発明を適用する例を示した。しかし、操作リンク５０の操作用スライド釦５１が工具運転位置に保持される電動工具であれば、ディスクグラインダ１０以外の工具であっても本発明を適用することが可能である。
【符号の説明】
【００４２】
１０・・・ディスクグラインダ（電動工具）
２５・・・モータ
３２・・・モータ起動スイッチ
３２ｒ・・動作レバー
４０・・・リレー
４３・・・オンスイッチ
４５・・・第１接点
４６・・・第２接点
４７・・・コイル
５０・・・操作リンク（操作部材）
５３・・・リンク本体部
５４ｈ・・開口部
５５・・・押圧部
６０・・・電気回路
７０・・・リレー
７２・・・オンスイッチ
７４・・・オフスイッチ
７５・・・第１接点
７６・・・第２接点
７７・・・コイル
【図１】
2017071010.tif 000003
【図２】
2017071010.tif 000004
【図３】
2017071010.tif 000005
【図４】
2017071010.tif 000006
【図５】
2017071010.tif 000007
【図６】
2017071010.tif 000008
【図７】
2017071010.tif 000009
【図８】
2017071010.tif 000010
【図９】
2017071010.tif 000011
【図１０】
2017071010.tif 000012
【図１１】
2017071010.tif 000013
【図１２】
2017071010.tif 000014
【図１３】
2017071010.tif 000015
【図１４】
2017071010.tif 000016
【図１５】
2017071010.tif 000017
【図１６】
2017071010.tif 000018
【図１７】
2017071010.tif 000019
【図１８】
2017071010.tif 000020
【図１９】
2017071010.tif 000021
【図２０】
2017071010.tif 000022
【図２１】
2017071010.tif 000023